(57)【特許請求の範囲】
【請求項１】
プレハブ住宅の地下部位に構築される構造地下室の構造であって、プレハブ住宅の荷重を耐圧スラブに伝達する地下壁と、プレハブ住宅の荷重を地下壁に伝達する梁と、を有し、鉄筋が地下壁の上部から該地下壁の上部に形成された１階基礎立上り部に跨がって配筋され及び鉄筋が梁の上部から該梁の上部に形成された１階基礎立上り部に跨がって配筋され、または鉄筋が地下壁の上部から該地下壁の上部に形成された１階基礎立上り部に跨がって配筋され及び１階スラブ上面に突出した梁が１階基礎立上り部を兼ねて構成され、前記各１階基礎立上り部にアンカーボルトが配置され、且つ地下壁から１階スラブ，梁及び１階基礎立上り部までが連続して打設されたコンクリートによって構成されたものであることを特徴とする構造地下室の構造。
【請求項２】
プレハブ住宅の地下部位に構築される構造地下室の施工方法であって、プレハブ住宅の荷重が梁及び地下壁を介して伝達される耐圧スラブを構築した後、構造地下室の地下壁と１階スラブ及び梁に対応する部位の配筋と型枠を施工し、且つ地下壁の上部から該地下壁の上部に形成される１階基礎立上り部に跨がって該１階基礎立上り部の配筋を行うと共に梁の上部から該梁の上部に形成される１階基礎立上り部に跨がって該１階基礎立上り部の配筋し、または地下壁の上部から該地下壁の上部に形成される１階基礎立上り部に跨がって該１階基礎立上り部の配筋を行うと共に１階スラブ上面に突出した梁が１階基礎立上り部を兼ねて構成し、前記各１階基礎立上り部にアンカーボルトを配置し、１階基礎立上り部に沿って該１階基礎立上り部の型枠を配置すると共に該型枠の下端が１階スラブの上面に対応する高さになるように保持し、その後、地下壁から１階スラブ，梁及び１階基礎立上り部まで連続してコンクリートを打設することを特徴とする構造地下室の施工方法。
【発明の詳細な説明】
【０００１】
【発明の属する技術分野】
本発明はプレハブ住宅の地下部位に構築される地下室或いは地下車庫等の構造地下室の構造と施工方法に関し、特に、耐圧スラブに連続した地下壁の上部に連続して１階スラブ，梁及び１階基礎立上り部を設けた構造と、施工方法に関するものである。
【０００２】
【従来の技術】
プレハブ住宅は工業化された生産システムによって製造された多数の部材を利用して建築される低層建築物であり、居住性や耐久性の向上、長寿命化に伴う間取りの自由度の向上、これらを実現するための合理的な建築構造の追求、コストの低減等を主眼として開発されている。
【０００３】
最近では、地下部位を活用するために鉄筋コンクリート構造（ＲＣ）の地下室や地下車庫等の構造地下室を設けたプレハブ住宅の需要も増加している。プレハブ住宅の地下部位に構造地下室を構築する場合、地盤を掘削する際の費用や構造地下室を構築した後の埋め戻しに要する費用が大きいという問題がある。
【０００４】
このため、プレハブ住宅の地下部位に地下室を構築する場合、土砂の掘削量を少なくして掘削費用や埋め戻し費用を軽減するために、地下室の地盤面からの深さが小さくなるように設定するのが一般的である。この場合、地下室の天井スラブとプレハブ住宅の１階の床までの距離を小さくすることが可能であり、該天井スラブに１階基礎立上り部を形成してプレハブ住宅の基礎とすることが出来る。
【０００５】
またプレハブ住宅の地下部位に地下車庫を構築する場合、該地下車庫の基準レベルとしては道路面が設定される。このため、必ずしも地下車庫とプレハブ住宅との接続関係が前述した地下室とプレハブ住宅との関係と一致するものではない。しかし、道路面を基準として地下車庫を設置すると共に、該地下車庫の天井スラブを１階スラブとしてプレハブ住宅を構築することもあり、この場合、前述した地下室とプレハブ住宅との関係と同様となる。
【０００６】
本件出願人は、地下室と該地下室の上部構造物の基礎を一体化させる施工方法を開発して既に特許出願している（特開平8-113951号公報）。この技術は、予め地上で地下室に対応する型枠や配筋をした地下室ユニットを構成しておき、この地下室ユニットを所定の位置に設置した後、地下室の天井スラブに対応する部位に対して配筋し、更に、天井スラブに於ける基礎に対応する部位に配筋すると共に受け金具を配置して該受け金具に型枠を設置し、その後、地下室ユニットの型枠及び基礎の型枠内にコンクリートを打設することで、地下室と基礎を一体化して構成し得るようにしたものである。この地下室と一体基礎の施工方法では、基礎が天井スラブの上部で且つ内側平面（地下室の壁部から離隔した位置）に形成されている場合を対象としている。
【０００７】
【発明が解決しようとする課題】
地下室或いは地下車庫等の構造地下室の上部にプレハブ住宅を建築する場合、１階基礎立上り部は必ずしも天井スラブの上部で且つ内側片面に形成されるものではなく、地下壁の上部に形成される場合もある。このように、地下壁の上部に１階基礎立上り部が形成される場合には、上記公報に開示された技術では対応し得ないという問題がある。
【０００８】
本発明の目的は、プレハブ住宅の地下部位に構造地下室を構築するに際し、構造地下室の地下壁の上部に１階基礎立上り部を形成した構造地下室の構造と、施工方法を提供することにある。
【０００９】
【課題を解決するための手段】
上記課題を解決するために本発明に係る構造地下室の構造は、プレハブ住宅の地下部位に構築される構造地下室の構造であって、プレハブ住宅の荷重を耐圧スラブに伝達する地下壁と、プレハブ住宅の荷重を地下壁に伝達する梁と、を有し、鉄筋が地下壁の上部から該地下壁の上部に形成された１階基礎立上り部に跨がって配筋され及び鉄筋が梁の上部から該梁の上部に形成された１階基礎立上り部に跨がって配筋され、または鉄筋が地下壁の上部から該地下壁の上部に形成された１階基礎立上り部に跨がって配筋され及び１階スラブ上面に突出した梁が１階基礎立上り部を兼ねて構成され、前記各１階基礎立上り部にアンカーボルトが配置され、且つ地下壁から１階スラブ，梁及び１階基礎立上り部までが連続して打設されたコンクリートによって構成されたものである。
【００１０】
上記構造地下室の構造では、プレハブ住宅の荷重を耐圧スラブに伝達する地下壁と、プレハブ住宅の荷重を地下壁に伝達する梁を有しており、地下壁から該地下壁の上部に形成された１階基礎立上り部及び梁の上部から該梁の上部に形成される１階基礎立上り部に跨がる鉄筋が配筋され、または鉄筋が地下壁から該地下壁の上部に形成された１階基礎立上り部に配筋され及び１階スラブ上面に突出した梁が１階基礎立上りを兼ねて構成され、各１階立上り部にアンカーボルトが配置され、且つ地下壁，１階スラブ（構造地下室の天井スラブ），梁，１階基礎立上り部が連続して打設されたコンクリートによって一体化されるため、信頼性の高い基礎立上り部を構成することが出来、且つ住宅の荷重を梁，地下壁を介して耐圧スラブに伝達することが出来る。
【００１１】
特に、地下壁，梁の上部に、該地下壁，梁に連続させた１階基礎立上り部を構成することによって、これらの１階基礎立上り部に埋設されたアンカーボルトは地下壁，梁及び１階基礎立上り部のコンクリートが一体化しているのに伴って、高い引抜き強度を確保することが出来る。
【００１２】
また構造地下室の施工方法は、プレハブ住宅の地下部位に構築される構造地下室の施工方法であって、プレハブ住宅の荷重が梁及び地下壁を介して伝達される耐圧スラブを構築した後、構造地下室の地下壁と１階スラブ及び梁に対応する部位の配筋と型枠を施工し、且つ地下壁の上部から該地下壁の上部に形成される１階基礎立上り部に跨がって該１階基礎立上り部の配筋を行うと共に梁の上部から該梁の上部に形成される１階基礎立上り部に跨がって該１階基礎立上り部の配筋し、または地下壁の上部から該地下壁の上部に形成される１階基礎立上り部に跨がって該１階基礎立上り部の配筋を行うと共に１階スラブ上面に突出した梁が１階基礎立上り部を兼ねて構成し、前記各１階基礎立上り部にアンカーボルトを配置し、１階基礎立上り部に沿って該１階基礎立上り部の型枠を配置すると共に該型枠の下端が１階スラブの上面に対応する高さになるように保持し、その後、地下壁から１階スラブ，梁及び１階基礎立上り部まで連続してコンクリートを打設することを特徴とするものである。
【００１３】
上記構造地下室の施工方法では、プレハブ住宅の荷重が梁，地下壁を介して伝達される耐圧スラブを構築した後、地下室を構成する地下壁と該地下壁の上部に構成される１階スラブ及び梁に配筋すると共に型枠を施工し、且つ地下壁の上部から該地下壁の上部に形成される１階基礎立上り部までに跨がって且つ梁の上部から該梁の上部に形成される１階基礎立上り部までに跨がって配筋し、または１階スラブの上面に突出した梁が１階基礎立上り部を兼ねて構成される場合は該梁の配筋し、且つ各１階立上り部にアンカーボルトを配置した後、型枠を施工してコンクリートを打設することで、一度のコンクリート打設によって、連続した地下壁と１階スラブ，梁及び１階基礎立上り部を構築することが出来る。
【００１４】
【発明の実施の形態】
以下、上記構造地下室の構造の好ましい実施形態について図を用いて説明し、合わせて施工方法について説明する。図１はドライエリアを設けた地下室の構成を説明する断面図である。図２は地下車庫の構成を説明する断面図である。図３は図１の地下室を構築する際の型枠を説明する図である。図４は地下壁の上部に構成される立上り部の型枠を受ける受け金具を説明する図である。図５は地下壁と立上り部の外周面が同一面となる例を説明する図である。
【００１５】
本発明に係る構造地下室の構造は、地下室や地下車庫等の構造地下室を構成する地下壁と、該地下壁の上部に配置された１階基礎立上り部（以下単に「立上り部」という）とが、両者に跨がって配筋された鉄筋である立上り鉄筋により接続されると共に連続したコンクリートによって一体的に構成されたものである。このため、立上り部に埋設されたアンカーボルトの高い引抜強度を確保することが可能であり、該アンカーボルトに上部構造物の躯体を構成する柱を接続する場合であっても、鉛直方向の力及び水平方向の力に対し安定した強度を発揮することが可能である。
【００１６】
以下、図により具体的に説明する。図１は、構造地下室としての地下室Ａを示しており、図２は地下車庫Ｂを示している。前記地下室Ａ，地下車庫Ｂには、居室や倉庫となり或いは自動車の収容部となる内部空間Ｃが設けられており、該空間Ｃの一方側に面して地上に開放されたドライエリア或いは道路等の外部空間Ｄが配置されている。そして内部空間Ｃと外部空間Ｄとの間は、窓やシャッター等からなる開口部Ｅが構成されている。
【００１７】
図１に於いて、地下室Ａは、地面に接地してフーチングとしての機能を有し上部に構築した図示しないプレハブ住宅の荷重や地下室Ａの荷重が均等に作用する耐圧スラブ１と、天井に対応して形成され上面に立上り部５〜７が設けられた１階スラブ２と、地下室Ａの壁面を構成しプレハブ住宅の荷重を耐圧スラブ１に伝達すると共に土圧に対抗する地下壁３と、プレハブ住宅の荷重を支持すると共に地下壁３に伝達する梁４とを有して構成されている。
【００１８】
耐圧スラブ１から地下壁３にかけて鉄筋８が配筋されており、厚さの異なる部位はレベルの異なる部位に形成される傾斜部には該傾斜に沿って鉄筋８が延長されている。この耐圧スラブ１に対応する鉄筋８は、地下室Ａの他の部位に先立って配筋されると共にコンクリート10が打設される。即ち、地下室Ａを構築するに際し、耐圧スラブ１は最初に構築される。そして、耐圧スラブ１が荷重を負担し得る強度に達したとき、１階スラブ２，梁４，地下壁３及び立上り部５〜７が構築される。
【００１９】
地下壁３から１階スラブ２にかけて鉄筋８が配筋されており、地下壁３の上部で且つ１階スラブ２との接続部位では、地下壁３，１階スラブ２に配筋された鉄筋８の端部がＬ字型に折り曲げられて夫々他方側に延長されて配筋されている。耐圧スラブ１に配筋された鉄筋８と、１階スラブ２，地下壁３に配筋された鉄筋８は、夫々の配置部位に於けるコンクリート10と共に、該部位に設定された許容曲げモーメント及び剪断応力を満足し得る太さを有する。従って、各部位に配筋された鉄筋８が異なる太さを有するか、同一の太さを有するかを限定するものではない。
【００２０】
１階スラブ２の上面に設けられる立上り部５は、プレハブ住宅に於ける１階の床のみを受けることを目的とする基礎であり、大きな荷重が作用するものではない。このため、立上り部５には、一端が１階スラブ２に差し込まれた鉄筋11が配筋されている。
【００２１】
立上り部６はプレハブ住宅の躯体を構成する図示しない梁や柱を取り付ける機能を有するものであり、１階スラブ２に設けた梁４の上部に形成されている。本実施例では、梁４は１階スラブ２を含んで該１階スラブ２の下面側に形成されており、立上り部６は１階スラブ２の上面側に形成されている。前述したように、梁４はプレハブ住宅に作用する鉛直方向の荷重や水平方向の荷重を支持すると共に地下室Ａの地下壁３に伝達する機能を有する。また梁４には枠状の鉄筋12が配置されており、この鉄筋12によって鉄筋８の強度を補強している。また立上り部６の鉄筋13は該立上り部６から梁４にまたがって配筋されており、該鉄筋13に沿って予め設定された部位にはアンカーボルト14が配置されている。
【００２２】
立上り部７は地下壁３の上部で且つ１階スラブ２の上面側に設けられている。この立上り部７の機能は特に限定するものではなく、立上り部５と同様にプレハブ住宅に於ける１階の床のみを受ける機能を有するものであって良く、また立上り部６と同様にプレハブ住宅の躯体を構成する梁や柱を取り付けて荷重を支持する機能を有するものであっても良い。しかし、地下壁３が鉛直方向の荷重や水平方向の荷重を支持する機能を有し、立上り部７が地下壁３の上部に設けられることから、該立上り部７をプレハブ住宅の躯体を支持し得るように構成することが好ましい。
【００２３】
本実施例では、立上り部７はプレハブ住宅の躯体を取り付けて該躯体から伝えられる鉛直荷重及び水平荷重を支持し得るように構成されている。
【００２４】
立上り部７と地下壁３にまたがって鉄筋15が配筋されている。この鉄筋15は、下端側が地下壁３の上端側に設けた鉄筋８及び１階スラブ２から地下壁３の上端部分にかけて配筋された鉄筋８の折曲部の地下壁３側の部分に並行に配置され、上端側が立上り部７の上端側に到達するように配筋され、鉄筋８に所定の手段で固定されている。従って、鉄筋15は地下壁３の上端部分から立上り部７にかけて配筋されている。
【００２５】
また立上り部７の予め設定された位置には、プレハブ住宅の躯体を地下室Ａに取り付けるためのアンカーボルト14が配置されている。アンカーボルト14は、立上り部７に配筋された鉄筋15の高さ方向と並行して、下端側が地下壁３の上端側に到達し且つ上端側が立上り部７から所定長さ突出するように配置されて所定の手段で固定されている。
【００２６】
立上り部７の厚さは地下壁３の厚さよりも小さい。本発明に於いて、地下壁３の厚さ方向の中心（以下単に「中心」という）と、地下壁３の上部に設けた立上り部７の中心が一致することを限定するものではない。本実施例では、図１に示すように、立上り部７は、内周側の面７ａが地下壁３の内周側の面３ａと同一平面になるように配置されており、従って、両者の中心は一致することなく内周側に偏心している。しかし、立上り部７の中心と地下壁３の中心とが一致していても良いことは当然である。
【００２７】
例えば、立上り部７の中心と地下壁３の中心とが一致している場合、地下壁３の上端部分に配置された水平方向の鉄筋８の数によっては、該鉄筋８とアンカーボルト14が互いに干渉して配筋位置や配筋方法を特別に考慮する必要が生じるが、立上り部７が地下壁３に対し内周側或いは外周側の何れかに偏心した場合、前記鉄筋８の数の如何に関わらず干渉することがない。このため、鉄筋15及びアンカーボルト14を配筋する際に作業性が向上し、且つコンクリートを打設したときに該コンクリートの充填度（まわりこみ）を向上させることが可能である。
【００２８】
上記地下壁３，１階スラブ２，梁４，立上り部５〜７は連続して打設されたコンクリート16によって実質的に一体化されている。即ち、地下室Ａでは、第１段階で耐圧スラブ１が形成され、その後、第２段階で地下壁３，１階スラブ２，梁４，立上り部５〜７が形成される。従って、地下壁３と１階スラブ２との間、１階スラブ２と立上り部５〜７の間のコンクリート16に不連続な境界が形成されることがない。
【００２９】
上記の如く、地下壁３と１階スラブ２，立上り部７が連続的に一体化したコンクリート16によって構成されるため、地下壁３から立上り７にまたがって配筋した鉄筋15及びアンカーボルト14に対するコンクリート16の付着長さは、これらのコンクリート16に対する埋設長と等しくなり、高い引抜き強度を確保すると共に高い信頼性を発揮することが可能となる。このため、鉄筋15，アンカーボルト14の信頼性を向上させることが可能であり、これらの鉄筋15，アンカーボルト14の長さを従来の工法で施工した場合と比較して短くすることが可能となる。
【００３０】
図２（ａ），（ｂ）は構造地下室としての地下車庫Ｂの構成を説明する断面図である。尚、図に於いて前述の地下室Ａと同一部分及び同一の機能を有する部分には同一の符号を付して説明を省略してある。
【００３１】
同図（ａ）の地下車庫Ｂの構造は、前述した地下室Ａと実質的に同一である。即ち、本実施例では、１階スラブ２の上面に２つの立上り部５と、梁４の上部に対応した立上り部６とが形成されており、地下壁３の上部には、該地下壁３から立上り部７にまがって配筋された鉄筋15ヲ有する立上り部７が形成されている。このように、夫々の立上り部５〜７の構造は前述した地下室Ａに於ける立上り部５〜７と同一である。
【００３２】
同図（ｂ）の地下車庫Ｂは、１階スラブ２に設けた梁４が、該１階スラブ２の上面側に突出して形成されている。このため、プレハブ住宅の躯体を取り付ける立上り部６は特別に形成されることなく、前記梁４と兼ねて構成されている。この実施例であっても、立上り部７は地下壁３の上部にまたがる鉄筋15を配筋して構成されており、地下室Ａの構造と変わることはない。
【００３３】
次に、本発明に係る施工方法について、地下室Ａを構築する場合について図３，図４によって説明する。
【００３４】
前述したように、地下室Ａを構築する場合、地盤を掘削した後、第１段階で耐圧スラブ１が構築され、その後、他の部位が構築される。即ち、耐圧スラブ１に対する鉄筋８の配筋を行なった後、コンクリート10を打設し、打設されたコンクリート10が硬化して１階スラブ２を構築する型枠を支持し得る硬度を発揮したとき、他の部位を構築する。
【００３５】
耐圧スラブ１に配筋された鉄筋８に地下壁３の鉄筋８が接続されると共に、予め設定された地下壁３の配筋が行なわれる。地下壁３に対応する鉄筋８の配筋作業が終了すると、地下壁３の内周に沿って内型枠21が配置される。また内型枠21の上部には１階スラブ２の内型枠22及び梁４の内型枠23が配置され、これらの内型枠21〜23は夫々公知の手段で支持される。
【００３６】
内型枠22，23の上部に、１階スラブ２に配置される鉄筋８、梁４に配置される鉄筋12，８が配筋され、更に、立上り部５に対応する位置に該立上り部５に配置される鉄筋11が、立上り部６に対応する位置に該立上り部６に配置される鉄筋13が配筋され、且つ鉄筋13に沿って予め設定された位置にアンカーボルト14が配筋される。
【００３７】
また地下壁３の上端部分に対応する位置には、１階スラブ２に配筋された鉄筋８の端部でＬ字状に形成された部分が配置されると共に、該Ｌ字部分が地下壁３の鉄筋８に接続される。同様に地下壁３に配筋された鉄筋８の端部でＬ字状に形成された部分が１階スラブ２に配置されると共に、該Ｌ字部分が１階スラブ２の鉄筋８に接続される。
【００３８】
地下壁３の上端部位に配筋された鉄筋８に沿って立上り部７の鉄筋15が配置され、差し込まれた状態で保持される。このとき、鉄筋15の上端側は予め設定された立上り部７の天端近傍に達している。また鉄筋15に沿って予め設定された位置には、アンカーボルト14が予め平板の所定位置に孔が形成されたアンカーボルト固定プレート９によって位置決めされると共に、上端側が予め設定された立上り部７の天端からの突出長さを保持した状態で差し込まれている。特に、鉄筋15，アンカーボルト14と鉄筋８とが接続されていないため、これらの間に適度な隙間が形成され、該隙間にコンクリートが浸透して充分なかぶり厚さを実現し、高い信頼性を発揮することが可能となる。
【００３９】
上記の如くして地下壁３の鉄筋８と１階スラブ２の鉄筋８及び立上り部５，６の鉄筋11，13を接続した後、地下壁３の外型枠24、梁４の外型枠25を夫々設置する。
【００４０】
次に、各立上り部５〜７に対応する部位に夫々立上り部５〜７の型枠26を設置する。このとき、各型枠26の下端部の高さを正確に１階スラブ２の上面レベルに一致させることが必要であり、このため、図４に示す受け金具31〜33を選択的に利用することが好ましい。
【００４１】
受け金具31は立上り部５を形成するために設ける一対の型枠26を支持することを目的として構成されたものであり、端部に螺合させたネジ部材31ｂを回転させることで高さ調整可能に構成された２本の脚31ａと、脚31ａの上端部位に固着され上面に型枠26の位置を規定する２つの規定部材31ｄを設けた支持片31ｃと、を有する門型に形成されている。特に、立上り部５の下方に地下壁３や梁４が形成される場合、受け金具31はこれらの地下壁３や梁４を跨いで型枠26を支持し得るように構成されている。
【００４２】
また受け金具32は下側に梁４や地下壁３が連続的に接続する立上り部６，７を形成するために設ける一対の型枠26を支持することを目的として構成されたものであり、端部に螺合させたネジ部材32ｂを回転させることで高さ調整可能に構成された１本の脚32ａと、脚32ａの上端部位に固着され上面に型枠26の位置を規定する２つの規定部材32ｄを設けた支持片32ｃと、を有するＬ型に形成されている。
【００４３】
受け金具31，32に於いて、支持片31ｃ，32ｃは丸棒（支持片31ｃ）或いは平板（支持片32ｃ）によって構成されている。これら丸棒，平板の何れであっても上部に型枠を載置して支持することが可能である。特に、平板からなる支持片では型枠を安定して支持することが可能となる。
【００４４】
また受け金具33は各立上り部５〜７を形成する型枠26を単独で支持し得るようにしたものであり、両端部分にネジ部を形成した脚33ａと、脚33ａのネジ部に螺合するネジ部材33ｂとによって構成され、ネジ部材33ｂを回転させることで高さ調整可能に構成されている。この受け金具33では、木製型枠を支持する際に有効である。
【００４５】
上記の如く構成された受け金具31は、立上り部５に沿って且つ１階スラブ２の内型枠22上に配置され、ネジ部材31ｂを回転させて該ネジ部材31ｂの底部と支持片31ｃの上面との距離が１階スラブ２の厚さと等しくなるように調整される。その後、支持片31ｃの上部に型枠26が載置され、且つ規定部材31ｄに当接して設置される。
【００４６】
また受け金具32は立上り部６，７に沿って且つ１階スラブ２の内型枠22上に配置され、ネジ部材32ｂを回転させて該ネジ部材32ｂの底部と支持片32ｃの上面との距離が１階スラブ２の厚さと等しくなるように調整される。特に、立上り部７に対応して配置された受け金具32の支持片32ｃの自由端は、地下壁３の外型枠24の上端に載置され、立上り部６に対応して配置された受け金具32の自由端は、梁４の外型枠26の上端に載置される。
【００４７】
また受け金具33は立上り部５〜７の型枠26に沿って且つ１階スラブ２の内型枠22上に配置され、ネジ部材33ｂを回転させて一対のネジ部材33ｂの間隔が１階スラブ２の厚さと等しくなるように調整される。その後、上方のネジ部材33ｂに型枠26が載置されて設置される。
【００４８】
上記の如くして、地下壁３に対応する部位に内型枠21，外型枠24、１階図２に対応する部位に内型枠22、梁４に対応する部位に内型枠23，外型枠25を設置すると共に、立上り部５〜７に型枠26を設置した後、地下壁３，１階スラブ２，梁４の各型枠21〜25の上方からコンクリート16を打設し、地下壁３の隅々に充分に充填し、且つ梁４，１階スラブ２にコンクリート16を充填する。次いで、１階スラブ２に打設されたコンクリート16が硬化する以前に、各立上り部５〜７の型枠26の上方からコンクリート16を打設し、１階スラブ２に打設されたコンクリート16と充分に馴染ませる。
【００４９】
上記の如くして、地下壁３と該地下壁３の上部に設けた立上り部７を鉄筋15を介して一体化させた地下室Ａを構築することが可能である。尚、各立上り部５〜７を形成する型枠26を支持した受け金具31〜33は１階スラブ２に埋め殺しされる。
【００５０】
図５は、地下壁３の上部に形成された立上り部７が、地下室Ａの外周側に偏心した場合を示すものである。この場合、地下壁３の外型枠24が地下壁３の長さよりも長く形成されており、上端部分が立上り部７の外型枠として機能し得るように構成されている。従って、立上り部７を形成する際に、型枠26は内周面側に配置される１枚で良く、型枠の設置が簡単になる。
【００５１】
立上り部７を形成する型枠26を支持する受け金具33は、前述した受け金具32と同様にＬ字状に形成されるものの、支持片33ｃには１枚の型枠26が載置されるのみであり、自由端側は地下壁３の外型枠24の上端に載置されて固定される。即ち、支持片33ｃには１つの規定部材があれば良く、且つ自由端と規定部材との距離は、立上り部７の厚さと１枚の型枠26の厚さの和となる。
【００５２】
このように、地下壁３の外周面と立上り部７の外周面とを同一面とし、且つ外部に露出した面となるような場合、これらの外面が連続的な同一面として形成されるため、外観性能を向上させることが可能である。
【００５３】
【発明の効果】
以上詳細に説明したように、本発明に係るプレハブ住宅に於ける構造地下室では、プレハブ住宅の地下部位に構築される構造地下室の構造であって、プレハブ住宅の荷重を耐圧スラブに伝達する地下壁と、プレハブ住宅の荷重を地下壁に伝達する梁とを有し、地下壁及び梁の上部から、地下壁及び梁の上部に形成された１階基礎立上り部に跨がる鉄筋が配筋され、または１階スラブ上面に突出した梁が１階基礎立上り部を兼ねて構成され、各１階基礎立上り部にはアンカーボルトが配置され、且つ地下壁，１階スラブ，梁，１階基礎立上り部が連続して打設されたコンクリートによって一体化されるため、信頼性の高い基礎立上り部を構成することが出来、且つ住宅の荷重を梁，地下壁を介して耐圧スラブに伝達することが出来る。特に、地下壁，梁及び１階基礎立上り部のコンクリートが一体化しているため、各１階立上り部に埋設されたアンカーボルトに高い引抜き強度を確保することが出来る。
【００５４】
また本発明に係る構造地下室の施工方法では、プレハブ住宅の荷重が梁及び地下壁を介して伝達される耐圧スラブを構築した後、地下壁と１階スラブ，梁，地下壁の上部に設ける１階基礎立上り部及び梁の上部に設ける１階基礎立上り部まで一度のコンクリート打設によって構築することが出来るため、施工し易く、コンクリートの継目等がないため仕上がりが良い。更に、地下壁の上部に設けた１階基礎立上り部の鉄筋が、地下壁にまで跨がって配筋されるため、コンクリートの付着長さを充分にとることが出来、安定した強度を確保することが出来る。
【図面の簡単な説明】
【図１】ドライエリアを設けた地下室の構成を説明する断面図である。
【図２】地下車庫の構成を説明する断面図である。
【図３】図１の地下室を構築する際の型枠を説明する図である。
【図４】地下壁の上部に構成される立上り部の型枠を受ける受け金具を説明する図である。
【図５】地下壁と立上り部の外周面が同一面となる例を説明する図である。
【符号の説明】
Ａ                    地下室
Ｂ                    地下車庫
Ｃ                    内部空間
Ｄ                    外部空間
Ｅ                    開口部
１                    耐圧スラブ
２                    １階スラブ
３                    地下壁
４                    梁
５〜７                立上り部
８                    鉄筋
９                    アンカーボルト固定プレート
10，16                コンクリート
11〜13，15            鉄筋
14                    アンカーボルト
21〜23                内型枠
24，25                外型枠
26                    型枠
31〜33                受け金具
31ａ，32ａ            脚
31ｂ，32ｂ            ネジ部材
31ｃ〜33ｃ            支持片
31ｄ，32ｄ            規定部材
【図１】
0003653483.tif 000002
【図２】
0003653483.tif 000003
【図３】
0003653483.tif 000004
【図４】
0003653483.tif 000005
【図５】
0003653483.tif 000006